(57)【要約】【課題】  広い商業空間の壁面等に用いても、建装材の装飾の繰り返しを目立たなくすることができ、かつ、幅方向に並列配置された複数の面材の装飾が自然につながることを可能とする、面材、建装材、及び建装材の施工方法を提供する。【解決手段】  １組の建装材を特定の複数の面材で構成する。複数の面材はいずれも、一方向に伸びる長方形形状を有しており、長方形形状が伸びる方向に直交する幅方向に並列配置されて建装材を構成する。複数の面材はそれぞれ、他の面材と異なる装飾が施されており、かつ、幅方向に隣接する他の面材との境目を跨って連続する装飾を有している。【選択図】  図１
2020045705.tif 000002
【特許請求の範囲】
【請求項１】
１組の建装材を構成する複数の面材であって、
前記複数の面材はいずれも、一方向に伸びる長方形形状を有しており、前記長方形形状が伸びる方向に直交する幅方向に並列配置されて前記建装材を構成するものであり、
前記複数の面材はそれぞれ、他の面材と異なる装飾が施されており、かつ、前記建装材において前記幅方向に隣接する他の面材との境目を跨って連続する装飾を有している、面材。
【請求項２】
前記長方形形状が伸びる方向に、一定の間隔で同一の装飾を有している、請求項１に記載の面材。
【請求項３】
複数の面材から構成される１組の建装材であって、
前記複数の面材はいずれも、一方向に伸びる長方形形状を有しており、前記長方形形状が伸びる方向に直交する幅方向に並列配置されて前記建装材を構成しており、
前記複数の面材はそれぞれ、他の面材と異なる装飾が施されており、かつ、前記幅方向に隣接する他の面材との境目を跨って連続する装飾を有している、建装材。
【請求項４】
前記面材が、前記長方形形状が伸びる方向に、一定の間隔で同一の装飾を有している、請求項３に記載の建装材。
【請求項５】
複数の面材から構成される１組の建装材の施工方法であって、
前記複数の面材はいずれも、一方向に伸びる長方形形状を有しており、前記長方形形状が伸びる方向に直交する幅方向に並列配置されて前記建装材を構成し、
前記複数の面材はそれぞれ、他の面材と異なる装飾が施されており、かつ、前記幅方向に隣接する他の面材との境目を跨って連続する装飾を有しており、
前記複数の面材が有するそれぞれの、前記境目を跨って連続する装飾が、前記幅方向で連続するように、前記複数の面材を並列配置する、建装材の施工方法。
【請求項６】
前記面材が、前記長方形形状が伸びる方向に、一定の間隔で同一の装飾を有している、請求項５に記載の建装材の施工方法。
【発明の詳細な説明】
【技術分野】
【０００１】
本発明は、面材、建装材、及び建装材の施工方法に関するものである。
【背景技術】
【０００２】
壁紙に代表される、家屋の壁面等に用いられる建装材は、一般に複数枚の面材から構成されており、例えば、円周方向に連続した装飾が形成されたエンドレス版と呼ばれる輪転印刷版を用いて帯状に製造された１種の面材を、長方形形状に切断して複数枚とし、壁面等の水平方向に該長方形形状の面材の短辺方向即ち幅方向が合致するように複数枚並列配置するようにして、一組の建装材を構成することが多く行われてきた（例えば、特許文献１）。
【０００３】
このような面材の装飾は、輪転印刷版を用いて付与されるため、その長辺方向（帯状の流れ方向）において、原則、輪転印刷版の版胴周長に相当する一定の間隔（例えば９３０ｍｍ〜１８９０ｍｍ程度）で繰り返されることになる。ただし、この長辺方向の繰り返しのつなぎ目は、目立たないように工夫されていた（例えば、特許文献２、３）。
このような装飾としては、例えば、木目模様、石目模様のような自然物を模した装飾や、各種の人為的な装飾がある。
【０００４】
このような面材においては、その長辺方向に直交する短辺方向即ち幅方向の長さ（幅）は、輪転印刷版の版胴の幅方向の長さ（版胴軸長）によって制約を受け、その長さ（幅）は例えば９３０ｍｍ〜２１００ｍｍ程度である。
【０００５】
一方、このような帯状の面材の長手方向の長さについては、特に制限は無く、例えば、製造工場では３０００ｍ程度の長さの単位で生産され、然る後、５０ｍ程度の長さの巻取に小巻されて、施工現場等に搬送される。
そして、施工現場では、この小巻された帯状の面材を、壁面の高さ等に合わせて必要な長さの長方形形状に切断し、幅方向に複数枚並列配置して、一組の建装材を形成していた。
【０００６】
図４に従来の面材の一例を示す。
図４に示す面材１００Ａは、一方向（図中Ｙ方向）が長辺となるように伸びる長方形形状を有しており、その短辺方向（図中Ｘ方向）である幅はＷ１００である。
面材１００Ａの装飾１０１は、上記のように、輪転印刷版を用いて付与される。それゆえ、図４に示すように、面材１００Ａの長辺方向、すなわち、長方形形状が伸びる方向（図中Ｙ方向）において、輪転印刷版の版胴周長に相当する一定の間隔（Ｐ１００）で、装飾１０１が繰り返し現れることになる。
【０００７】
なお、図４に示す面材１００Ａ内において破線で示すつなぎ目１３１は、理解を容易にするために、上記の長辺方向の繰り返しのつなぎ目となる箇所を視覚化したものであり、実際の面材１００Ａにおいては、このような破線は存在しない。
また、図４に示す面材１００Ａは、その長辺方向、すなわち、長方形形状が伸びる方向（図中Ｙ方向）において、つなぎ目１３１で装飾が繰り返しとなる。それゆえ、煩雑となるのを避けるため、その上手方向および下手方向の記載は省略している。
【０００８】
図５は従来の建装材の一例を示す図である。より詳しくは、図５は、図４に示す面材１００Ａを３枚用いて構成された建装材１００について示す図である。
図５に示すように、建装材１００は、長方形形状をなす面材１００Ａの長辺方向を上下方向（図中Ｙ方向）にして、且つ長方形形状をなす面材の短辺方向である幅方向（図中Ｘ方向）に面材１００Ａが３枚並列配置された構成を有する。それゆえ、図５に示す建装材１００において、装飾１０１は、建装材１００の長辺方向（図中Ｙ方向）において一定の間隔Ｐ１００で繰り返されるのみならず、幅方向（図中Ｘ方向）においても、一定の間隔Ｗ１００（面材１００Ａの幅に相当）で繰り返されることになる。
【０００９】
なお、図５における建装材１００中の長辺方向（図中Ｙ方向）の破線（境目１４１）は、理解を容易にするために、隣接する面材１００Ａ間の境目を強調して示すものであり、実際の建装材１００においては、この境目１４１は目立たないようになっている。
また、図５に示す建装材１００においては、面材１００Ａの長辺方向、すなわち、建装材１００の長辺方向（図中Ｙ方向）については、図４と同様に、その上手方向および下手方向の記載を省略している。
【先行技術文献】
【特許文献】
【００１０】
【特許文献１】実公平５−１９３６０号公報
【特許文献２】特公昭４３−２０６５号公報
【特許文献３】特開平１０−１５１７２１号公報
【発明の概要】
【発明が解決しようとする課題】
【００１１】
上記のように、建装材が、輪転印刷版を用いて製造された１種の面材から構成される場合、建装材が有する装飾は、建装材の長辺方向のみならず、幅方向においても一定の間隔で繰り返し現れることになる。
ただし、このような建装材を家屋の壁面等に用いる場合は、その壁面の大きさが例えば高さ２．５ｍ×幅３ｍ程度であることから、幅方向に並列配置する面材は２〜３枚程度で済み、かつ、家屋では観察者と壁面の距離が近いため、観察者は幅方向の装飾の繰り返しに気付き難かった。
【００１２】
しかしながら、このような建装材を広い商業空間の壁面（例えば、高さ４ｍ×幅１０ｍ）等に用いる場合は、幅方向に並列配置する面材は１０枚程度になる。それゆえ、この枚数に応じて幅方向の装飾の繰り返しの頻度も多くなり、かつ、広い商業空間では観察者と壁面の距離が遠いため、観察者は装飾の繰り返しに気付き易くなってしまい、建装材の装飾の繰り返しを目立たなくすることが困難になっていた。
【００１３】
また、人間のもつ感知能力の性質として、幅方向における装飾の繰り返しや不自然な途切れについては、敏感に感知できてしまうという特徴がある。人間の両目は、顔の左右（幅方向）に配されているからである。
そして、このような装飾の繰り返しや不自然な途切れが目立ってしまうと、一般に高級感が失われてしまいがちであり、例えば、自然物を模した装飾においては、自然感が損なわれてしまうという問題があった。
【００１４】
本発明は、上記実情に鑑みてなされたものであり、広い商業空間の壁面等に用いても、建装材の装飾の繰り返しを目立たなくすることができ、かつ、幅方向に並列配置された複数の面材の装飾が自然につながることを可能とする、面材、建装材、及び建装材の施工方法を提供することを主たる目的とする。
【課題を解決するための手段】
【００１５】
本発明の面材は、１組の建装材を構成する複数の面材であって、前記複数の面材はいずれも、一方向に伸びる長方形形状を有しており、前記長方形形状が伸びる方向に直交する幅方向に並列配置されて前記建装材を構成するものであり、前記複数の面材はそれぞれ、他の面材と異なる装飾が施されており、かつ、前記建装材において前記幅方向に隣接する他の面材との境目を跨って連続する装飾を有している、面材である。
【００１６】
また、本発明の建装材は、複数の面材から構成される１組の建装材であって、前記複数の面材はいずれも、一方向に伸びる長方形形状を有しており、前記長方形形状が伸びる方向に直交する幅方向に並列配置されて前記建装材を構成しており、前記複数の面材はそれぞれ、他の面材と異なる装飾が施されており、かつ、前記幅方向に隣接する他の面材との境目を跨って連続する装飾を有している、建装材である。
【００１７】
また、本発明の建装材の施工方法は、複数の面材から構成される１組の建装材の施工方法であって、前記複数の面材はいずれも、一方向に伸びる長方形形状を有しており、前記長方形形状が伸びる方向に直交する幅方向に並列配置されて前記建装材を構成し、前記複数の面材はそれぞれ、他の面材と異なる装飾が施されており、かつ、前記幅方向に隣接する他の面材との境目を跨って連続する装飾を有しており、前記複数の面材が有するそれぞれの、前記境目を跨って連続する装飾が、前記幅方向で連続するように、前記複数の面材を並列配置する、建装材の施工方法である。
【００１８】
前記面材は、前記長方形形状が伸びる方向に、一定の間隔で同一の装飾を有する形態であってもよい。
【発明の効果】
【００１９】
本発明によれば、広い商業空間の壁面等に用いても、建装材の装飾の繰り返し、特に幅方向の装飾の繰り返しを目立たなくすることができ、かつ、幅方向に並列配置された複数の面材の装飾が自然につながることを可能とする、面材、建装材、及び建装材の施工方法を提供することができる。
【図面の簡単な説明】
【００２０】
【図１】本発明に係る面材の一例を示す図である。
【図２】本発明に係る建装材の一例を示す図である。
【図３】本発明に係る建装材の施工例を示す図である。
【図４】従来の面材の一例を示す図である。
【図５】従来の建装材の一例を示す図である。
【発明を実施するための形態】
【００２１】
以下、本発明に係る面材、建装材、及び建装材の施工方法について、図１〜図５を用いて説明する。なお、各図は発明を模式的に示す図であり、各部の大きさ、形状、装飾などは理解を容易にするため、適宜誇張や単純化を施している。また、説明に直接関係しない構成等については、適宜省略している。
【００２２】
（面材および建装材）
まず、本発明に係る面材および建装材について説明する。
図１は本発明に係る面材の一例を示す図である。また、図２は本発明に係る建装材の一例を示す図である。
より詳しくは、図１は、図２に示す建装材１を構成する平面視形状が長方形形状の３種の面材１Ａ、１Ｂ、１Ｃを示す図である。
尚、本発明における「長方形」は、幾何学上の長方形の定義に厳密に合致する形状のみに限定されるものでは無い。本発明の他の構成要件を充足した上で本発明の作用効果を奏する限りに於いて、各種の長方形に近似する形状も本発明の「長方形」に包含される。かかる長方形に近似する形状とは、例えば、長辺と短辺の長さが等しくなった長方形である正方形、各頂角が概ね９０度、例えば、８０度以上１００度以下、の範囲内となる菱形、台形、或いは平行四辺形である。更に、これらの長方形、正方形、菱形、台形、或いは平行四辺形の各辺の一部又は全部を曲線や折線に置換した形状も、本発明の他の構成要件を充足した上で本発明の作用効果を奏する限りにおいては、本発明の「長方形」に包含される。
また図２は、図１に示す３種の面材１Ａ、１Ｂ、１Ｃから構成される建装材１について示す図である。
【００２３】
ここで、図１においては、面材１Ａ、１Ｂ、１Ｃとも、長辺方向、すなわち、長方形形状が伸びる方向（図中Ｙ方向）については、装飾が各面材中の破線（つなぎ目３１Ａ、３１Ｂ、３１Ｃ）で繰り返しとなるため、その上手方向（各図の＋Ｙ軸方向）および下手方向（各図の−Ｙ軸方向）の図示を省略して示している。
なお、図１における各面材中の破線（つなぎ目３１Ａ、３１Ｂ、３１Ｃ）は、理解を容易にするために、長辺方向の繰り返しのつなぎ目となる箇所を視覚化したものであり、実際の面材１Ａ、１Ｂ、１Ｃにおいては、このような破線は存在しない。
【００２４】
また、図２に示す建装材１においても、面材１Ａ、１Ｂ、１Ｃの長辺方向、すなわち、面材１Ａ、１Ｂ、１Ｃの長方形形状が伸びる方向（図中Ｙ方向）については、図１と同様に、その上手方向および下手方向の記載を省略している。
なお、図２における建装材１の中の破線（境目４１、４２）は、理解を容易にするために、隣接する面材１Ａ、１Ｂ、１Ｃ間の境目を強調して示すものであり、実際の建装材においては、この境目４１、４２は目立たないようになっている。
【００２５】
図１、２に示すように、建装材１は３種の面材１Ａ、１Ｂ、１Ｃから構成され、面材１Ａ、１Ｂ、１Ｃはいずれも、一方向に伸びる長方形形状を有しており、長方形形状が伸びる方向即ち長辺方向と直交する幅方向（図中Ｘ方向）に向かって、間に間隙や目地溝、レール、スペーサ等の部材を介する事無く、互いに隣接して、並列配置されて建装材１を構成している。尚、本発明において、「隣接」の語はかかる意味で用いる。
【００２６】
ここで、本発明において「長方形形状が伸びる方向即ち長辺方向と直交する」とは、長方形形状が伸びる方向即ち長辺方向に対して厳密に直角に交わる状態のみならず、壁紙の施工において並列配置とする際に許容される角度の方向も含むものである。その角度は、建装材を構成する面材（長方形形状に切断された面材）の長辺方向の長さにもよるが、例えば、長方形形状が伸びる方向に対して８７度以上９３度以下の範囲とすることができる。
【００２７】
そして、面材１Ａ、１Ｂ、１Ｃはそれぞれ、他の面材と異なる装飾が施されており、かつ、幅方向に隣接する他の面材との境目を跨って連続する装飾を有している。
【００２８】
例えば、図１に示す面材１Ａは、他の面材１Ｂ、１Ｃと異なる装飾である装飾１１を有している。同様に、面材１Ｂは、他の面材１Ａ、１Ｃと異なる装飾である装飾１２を有しており、面材１Ｃは、他の面材１Ａ、１Ｂと異なる装飾である装飾１３を有している。
【００２９】
一方、図１に示す面材１Ａ、１Ｂは、それぞれ装飾２２Ｌ、２２Ｒを有しており、この装飾２２Ｌ、２２Ｒは、図２に示す建装材１において、境目４１を跨って連続し、装飾２２を構成している。同様に、図１に示す面材１Ｂ、１Ｃは、それぞれ装飾２３Ｌ、２３Ｒを有しており、この装飾２３Ｌ、２３Ｒは、図２に示す建装材１において、境目４２を跨って連続し、装飾２３を構成している。
【００３０】
ここで、本発明において「境目を跨って連続する装飾」とは、建装材を構成した際に、隣接する面材間の境目を跨って連続することになる装飾のことであり、換言すれば、各面材１Ａ、１Ｂ、及び１Ｃを互に隣接して配置した際に、装飾２２Ｌと２２Ｒ及び装飾２３Ｌと２３Ｒとの間の関係が以下の２要件を満たし、建装材を構成した際に、隣接する面材間の境目を跨って連続的につながっている装飾を構成することになる各面材における装飾のことである。
（要件１）各面材の境目４１、４２を間に挟んでその両側で接する各装飾、例えば２２Ｌと２２Ｒの色（色相、明度、及び彩度）、光沢度等の視覚に影響する特性値の差が、境目４１及び４２の近傍に於いて、違和感のない範囲内、好ましくは視覚の弁別閾値以下となる。図１の例では、２２Ｌと２２Ｒとで色及び光沢度は同一とされている。
（要件２）各面材の境目４１、４２を間に挟んでその両側で接する装飾、例えば２２Ｌと２２Ｒとで構成される領域が、全体として一まとまりの、一体となった模様を構成する。図１の例では、２２Ｌと２２Ｒとが境目４１で接続され、一体化されて、図２に図示の如く、２２Ｌ及び２２Ｒ単独よりも長辺長が延長された長方形の模様からなる装飾２２が構成される。
【００３１】
即ち、図１に示す面材１Ａの装飾２２Ｌ、面材１Ｂの装飾２２Ｒは、図２に示す建装材１を構成する前においては、それぞれ独立した装飾であるが、図２に示すように、面材１Ａに隣接して面材１Ｂを並列配置して建装材１を構成した際には、境目４１を跨って連続的につながっている装飾２２を構成することになる。
同様に、図１に示す面材１Ｂの装飾２３Ｌ、面材１Ｃの装飾２３Ｒは、図２に示す建装材１を構成する前においては、それぞれ独立した装飾であるが、図２に示すように、面材１Ｂに隣接して面材１Ｃを並列配置して建装材１を構成した際には、境目４２を跨って連続的につながっている装飾２３を構成することになる。
【００３２】
ここで、上記のように、面材１Ａの装飾２２Ｌと面材１Ｂの装飾２２Ｒから、建装材１において連続的につながっている装飾２２を構成するためには、面材１Ａ、１Ｂの長方形形状の長辺方向（図中Ｙ方向）に対して、面材１Ａの装飾２２Ｌと面材１Ｂの装飾２２Ｒが、同じ一定の間隔（Ｐ１）で設けられている必要がある。それゆえ、面材１Ａ、１Ｂは、同じ版胴周長を有する輪転印刷版を用いて製造される。
【００３３】
同様に、面材１Ｂの装飾２３Ｌと面材１Ｃの装飾２３Ｒから、建装材１において連続的につながっている装飾２３を構成するためには、面材１Ｂ、１Ｃの長方形形状の長辺方向（図中Ｙ方向）に対して、面材１Ｂの装飾２３Ｌと面材１Ｃの装飾２３Ｒが、同じ一定の間隔（Ｐ１）で設けられている必要がある。それゆえ、面材１Ｂ、１Ｃは、同じ版胴周長を有する輪転印刷版を用いて製造される。
【００３４】
すなわち、面材１Ａ、１Ｂ、１Ｃは、同じ版胴周長を有する輪転印刷版を用いて製造されることになる。
【００３５】
一方、面材１Ａ、１Ｂ、１Ｃの幅ＷＡ、ＷＢ、ＷＣに関しては、特に制約は無く、それぞれ自由な大きさとすることができる。尚、図１の実施形態に於いては、３つの面材の幅は全て同一（ＷＡ＝ＷＢ＝ＷＣ）とされている。
【００３６】
このように、面材１Ａ、１Ｂ、１Ｃは、それぞれ、幅方向に隣接する他の面材との境目を跨って連続する装飾を有しているため、建装材１においては、幅方向の装飾が不自然に途切れるようなことはなく、自然に連続的につながることになる。
【００３７】
また、建装材１においては、異なる装飾が施された３種の面材１Ａ、１Ｂ、１Ｃが幅方向に並列配置されて建装材１を構成しているため、建装材１の幅方向において、一定間隔で同じ装飾が繰り返し現れることを防止できる。すなわち、建装材の装飾の繰り返しを目立たなくすることができる。
【００３８】
より詳しく説明すると、上記のように、建装材１においては、幅方向（図中Ｘ方向）に対して、異なる装飾が施された面材が並ぶことになるため、３種の面材１Ａ、１Ｂ、１Ｃを図２の如くこの順に隣接配置した範囲内では、原則、同じ装飾が繰り返されるようなことは生じない。それゆえ、観察者と建装材１を施工した壁面との距離にかかわらず、観察者が幅方向に装飾の繰り返しを感じることはない。
尚、壁面等の施工対象の幅Ｗtotalが広く（乃至寸法が大きく）３つの面材の合計幅よりも大の場合、即ち、
Ｗtotal＞ＷＡ＋ＷＢ＋ＷＣ
となる場合は、３つの面材１Ａ、１Ｂ、及び１Ｃを並列配置して構成した建装材では施工対象を被覆（施工）しきれない。その場合は、以下の３形態の何れかとすることが出来る。何れの形態でも、図５に図示した従来の面材からなる建装材１００に比べて、装飾の繰返し周期は目立ち難いが、それぞれ一長一短が有る。施工対象に付与される装飾の連続性及び装飾の繰返し周期は目立ち難さの点では、形態３が最も好ましい。
（形態１）図２の如き３種の面材を隣接して並列配置した建装材１の左右の両方又は一方に生じた余白には１Ａ、１Ｂ、及び１Ｃの何れとも異なる別種の装飾を有する面材を隣接配置するよう施工（貼り合せ）する。尚、図示は省略する。
但し、装飾は図の建装材１とその左右の何れか片方又は両方に隣接する面材（図示は省略）との間で連続はしない。
（形態２）図２の如き３種の面材を隣接して並列配置した建装材１の左右の両方又は一方に生じた余白にも、現状図２に図示しているものと同樣の建装材１を隣接配置する。尚、図示は省略する。
この形態の場合、幅方向（図中Ｘ方向）にはＷＡ＋ＷＢ＋ＷＣの周期で装飾の繰返しを生じるが、図５に図示した従来の面材からなる建装材１００に比べて、装飾の繰返し周期は増大する。例えば、Ｗ１００＝ＷＡ＝ＷＢ＝ＷＣだとすると、図５に図示した従来の面材からなる建装材１００に比べて、装飾の繰返し周期は３倍となる。よって、装飾の繰返し周期は大分目立ち難くなる。
（形態３）後述のように、本発明における建装材１を構成する面材の数ｎは４以上の任意の数とすることも出来る為、施工対象の幅Ｗtotalよりも建装材の繰返し周期が大となるように面材１1、１2、１3、・・・、１nの種類ｎを選択し、建装材１の装飾の繰返し周期Ｗ1＋Ｗ2＋Ｗ3＋・・・＋Ｗnが施工対象の幅Ｗtotalがよりも大、即ち、
Ｗtotal＜Ｗ1＋Ｗ2＋Ｗ3＋・・・＋Ｗn
となるように各面材１iを隣接して並列配置して建装材１を構成する。
尚、ここで、１iは建装材１を構成する各面材、Ｗiは面材１iの幅、ｉは２以上ｎ以下の自然数（ｉ＝２、３、・・・、ｎ−１、ｎ）である。
この形態の場合、施工対象の全幅にわたって、装飾の繰返し周期は生じ無い。但し、用意すべき面材の数ｎが多くなり、装飾の意匠デザインの難度と労力が増加するとともに、面材の在庫管理や施工の難度も増加する。
【００３９】
一方、建装材１を構成する面材１Ａ、１Ｂ、１Ｃとも、その長方形形状の長辺方向（図中Ｙ方向）に対しては、一定の間隔（Ｐ１）で装飾が繰り返されているが、人間のもつ感知能力の性質として、壁面の上下方向（一般的には鉛直方向に合致）の装飾の繰り返しは、幅方向ほどには敏感に感知しない。
それゆえ、建装材１を構成する面材の長辺方向を壁面の上下方向とすることで、建装材１の装飾の繰り返しを目立たなくすることができる。
【００４０】
ここで、上記の説明においては、理解を容易にするため、具体的な実施形態として、３種の面材１Ａ、１Ｂ、１Ｃから構成される建装材１の例を示したが、本発明は、これに限定されず、本発明の建装材は、より多くの面材から構成されるものであってもよい。
【００４１】
例えば、ｎ種（ｎは２以上の自然数）の異なる装飾が施されたｎ枚の面材を、幅方向に並列配置して１組の建装材を構成してもよい。ここで、ｎは図１及び図２に図示した実施形態のような３以外に２、４、５、６、或いは７以上とすることが出来る。ｎ枚の面材は、それぞれ、前記の如く、他の面材と異なる装飾が施されており、かつ、幅方向に隣接する他の面材との境目を跨って連続する装飾を有するものである。
【００４２】
このような建装材であれば、壁面の幅方向が長く、多くの面材を要するような、広い商業空間の壁面等にも適用できる。
そして、上記の建装材１と同様に、建装材の装飾の繰り返し性を目立たなくすることができる。さらに、幅方向に並列配置された複数の面材の装飾が、自然につながるようにすることも可能となる。
【００４３】
（装飾について）
図１に示す面材１Ａ、１Ｂ、１Ｃが有する装飾については、理解を容易にするため、装飾１１を三角形、装飾１２を円形、装飾１３を星形、装飾２１、２２Ｌ、２２Ｒ、２３Ｌ、２３Ｒ、２４を長方形として、それぞれ模式的に表現しているが、本発明の面材の装飾はこれに限らず、建装材の装飾として用いることが出来る各種装飾とすることができる。
また、図１に示す面材１Ａ等においては、装飾１１等が点在する図形（三角形等）で表現されているが、本発明の面材の装飾はこれに限らず、装飾が面材全域にわたって施されている形態であってもよい。
【００４４】
例えば、木目模様、石目模様のような自然物を模した装飾や、各種の人為的な装飾とすることができる。また、各装飾は、エンボス処理により凹凸を有する立体形状とすることもできる。本発明においては、漆喰の左官加工表面、例えば鏝痕凹凸模様（鏝跡凹凸模様）等を模した装飾も好適に用いることができる。
例えば、図１に示す面材１Ａ、１Ｂに施されている装飾が木目模様を模した装飾の場合、境目を跨って連続する装飾（装飾２２Ｌ、２２Ｒ）としては、装飾２２Ｌが有する木目模様の年輪線の右端（図１に示すＸ方向）と、これに対応する装飾２２Ｒが有する木目模様の年輪線の左端と、が図２に示す建装材１の装飾２２において、途切れずに一の年輪線として連続する形態を、挙げることが出来る。
また、図１に示す面材１Ａ、１Ｂに施されている装飾が漆喰模様を模した装飾の場合、境目を跨って連続する装飾（装飾２２Ｌ、２２Ｒ）としては、装飾２２Ｌが有する鏝痕凹凸模様（鏝跡凹凸模様）の右端（図１に示すＸ方向）と、これに対応する装飾２２Ｒが有する鏝痕凹凸模様（鏝跡凹凸模様）の左端と、が図２に示す建装材１の装飾２２において、途切れずに一の鏝痕凹凸模様（鏝跡凹凸模様）として連続する形態を、挙げることが出来る。
【００４５】
（面材の製造方法について）
本発明の面材は、従来からの建装材を構成する面材と同様に、グラビア印刷、シルクスクリーン印刷、フレキソ印刷等の印刷方式による輪転印刷版を用いて製造することができる。また、面材を構成する材料も、従来からの建装材を構成する面材と同様の材料を用いることができる。又、小ロット生産の場合は、版を用いないインキジェット印刷等の無版印刷方式を用いて製造することも出来る。
【００４６】
（建装材の施工方法）
次に、本発明に係る建装材の施工方法について説明する。
図３は本発明に係る建装材の施工方法の一例を示す図である。より詳しくは、図３は、図２に示す建装材１の施工方法として、図１に示す面材１Ａ、１Ｂがそれぞれ有する装飾２２Ｌと装飾２２Ｒとが、境目４１を跨って連続する連続的につながっている装飾２２を構成するように、面材１Ａに隣接して面材１Ｂを並列配置する様子を示すものである。
【００４７】
なお、図３においては、理解を容易にするため、壁面における面材１Ａ、１Ｂの長辺方向（図中Ｙ方向、上下方向に対応する）の上端近傍について記載し、それより下端側についての図示は、省略している。また、煩雑となるのを避けるため建装材１乃至各面材１Ａ、１Ｂ、１Ｃの裏面５０側に存在し、該裏面と接着される壁面の図示も省略している。
図３において、面材１Ｂの上端左側は、貼り付けの途中であって、面材１Ｂの裏面５０が見えている状態である。尚、裏面５０上には澱粉糊からなる接着剤の層が形成されている。
【００４８】
建装材１を壁面に施工するには、例えば図３に示すように、まず先に面材１Ａを壁面に接着剤層を介して貼り付け、次に、面材１Ａの装飾２２Ｌと面材１Ｂの装飾２２Ｒが境目４１を跨って幅方向で連続するように位置合わせして、面材１Ａと面材１Ｂが境目４１で接するように面材１Ｂを貼り付ける。
このように施工することで、装飾２２Ｌと装飾２２Ｒとから、境目４１を跨って連続的につながって一つの模様（図３の例では長方形）を構成している装飾２２を形成することができる。
【００４９】
また、煩雑となるのを避けるため、図３においては記載していないが、面材１Ｂを貼り付けた後に、面材１Ｃも同様に施工することで、面材１Ａ、１Ｂ、１Ｃから構成される建装材１を得ることができる。ここで、面材１Ｃを貼り付ける際には、面材１Ｂの装飾２３Ｌと面材１Ｃの装飾２３Ｒとが、境目４２を跨って幅方向で連続するように位置合わせして、面材１Ｂと面材１Ｃとが境目４２で接するように面材１Ｃを貼り付ける。
このように施工することで、装飾２３Ｌと装飾２３Ｒとから、境目４２を跨って連続的につながって一つの模様を構成している装飾２３を形成することができる。
【００５０】
なお、上記においては、面材１Ａ、１Ｂ、１Ｃの順に貼り付けていく施工方法を説明したが、本発明の建装材の施工方法は、これに限定されず、面材１Ｃ、１Ｂ、１Ａの順に貼り付けていく施工方法であってもよい。
【００５１】
また、より多くの面材から本発明の建装材を構成する場合、例えば、ｎ種（ｎは２以上の自然数）の異なる装飾が施されたｎ枚の面材から本発明の建装材を構成する場合は、上記と同様にして、すなわち、各面材が有するそれぞれの装飾であって、幅方向に隣接する他の面材との境目を跨って連続する装飾が、幅方向で連続するように留意して、１枚目の面材を貼り付けた後に２枚目の面材を貼り付け、その後も同様の作業を、ｎ枚目の面材を貼り付けるまで順次行うことで、目的とする建装材を得ることができる。
【００５２】
このように施工することで、得られた建装材においては、幅方向の装飾が不自然に途切れるようなことはなく、自然に連続的につながることになる。
【００５３】
また、得られた建装材においては、異なる装飾が施されたｎ種の面材が幅方向に並列配置されて建装材を構成しているため、建装材の幅方向において、一定間隔で同じ装飾が繰り返し現れることを防止できる。すなわち、建装材の装飾の繰り返しを目立たなくすることができる。
【００５４】
なお、上記においては、並列配置する各面材を、各面材の幅方向の端で接するように貼り付ける施工方法について例示したが、本発明の施工方法は、これに限定されない。
本発明においては、各面材が有するそれぞれの装飾であって、幅方向に隣接する他の面材との境目を跨って連続する装飾が、それぞれ幅方向で連続するように各面材を並列配置して、幅方向の装飾が連続的につながっている建装材を構成することができる施工方法であれば、各種の施工方法を適用することができる。
【００５５】
例えば、特許文献１の第３図のように、先に貼り付けた面材の右端部に、次に貼り付ける面材の左端部を重ねて貼り付け、重なった部分で切断して、その切断した線の左右にある不要な面材部分を除去する施工方法を用いてもよい。
この場合、各面材の右端部及び左端部の装飾は、重ねて貼り付けされた後に除去される部分を含む装飾となる。
【００５６】
以上、本発明に係る面材、建装材、及び建装材の施工方法について説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【符号の説明】
【００５７】
１  建装材
１Ａ、１Ｂ、１Ｃ  面材
１１、１２、１３  装飾
２１、２２、２３、２４  装飾
２２Ｌ、２２Ｒ、２３Ｌ、２３Ｒ  装飾
３１Ａ、３１Ｂ、３１Ｃ  つなぎ目
４１、４２  境目
５０  裏面
１００  建装材
１００Ａ  面材
１０１  装飾
１３１  つなぎ目
１４１  境目
【図１】
2020045705.tif 000003
【図２】
2020045705.tif 000004
【図３】
2020045705.tif 000005
【図４】
2020045705.tif 000006
【図５】
2020045705.tif 000007